(57)【要約】  多くの糖尿病患者は、遅効型インスリン及び即効型のインスリンの両方を服用している。異なった種類の薬剤を混同しないようにすること、及び患者が誤った薬剤を投与されないようにすることが重要である。薬剤供給装置及び薬剤カートリッジの組合せ装置が提供されており、薬剤供給装置は少なくとも１個のスイッチを含み、薬剤カートリッジは内部に薬剤を収納するカートリッジハウジング（４）と、ハウジング（４）の一端の内部に配設された移動可能なピストン（１４）と、薬剤カートリッジの外周の上寄せリング部材（１０）とで構成され、リング部材（１０）は、使用時には、薬剤供給装置の少なくとも１個のスイッチを作動させるのに充分な寸法とする。
2005511155.tif 000002
【特許請求の範囲】
【請求項１】
薬剤供給装置及び薬剤カートリッジの組合せ装置において、前記薬剤供給装置は少なくとも一つのスイッチを含み、前記薬剤カートリッジは薬剤を収納するカートリッジハウジングと、前記ハウジングの一端内部に配置された移動可能なピストンと、前記薬剤カートリッジの外周の上寄せリング部材を具備し、前記リング部材は、使用時に前記薬剤供給装置の少なくとも一つのスイッチを作動させるのに充分な寸法であることを特徴とする組合せ装置。
【請求項２】
前記カートリッジハウジングの長手方向軸に沿った上寄せリング部材の位置は、前記薬剤カートリッジ内に含まれる薬剤を表示することを特徴とする請求項１に記載の組合せ装置。
【請求項３】
前記上寄せリング部材を色分けして前記薬剤カートリッジ内に含まれる前記薬剤を表示することを特徴とする請求項１又は２に記載の組合せ装置。
【請求項４】
前記上寄せリング部材は前記カートリッジの周囲表面と一致する第一内部表面と第二外部表面によって画定されることを特徴とする前記請求項１〜３のいずれかに記載の組合せ装置。
【請求項５】
前記第二外部表面は滑らかな丸みを帯びた表面を提供することを特徴とする前記請求項４に記載の組合せ装置。
【請求項６】
前記上寄せリング部材の外部表面の形状が、前記薬剤カートリッジ内に含まれる薬剤を表示することを特徴とする前記請求項４又は５に記載の組合せ装置。
【請求項７】
前記薬剤供給装置は、さらにディスプレィと、前記薬剤供給装置内の薬剤カートリッジに関する情報を前記ディスプレィに表示させるプロセッサとを具備することを特徴とする前記請求項１〜６のいずれかに記載の組合せ装置。
【請求項８】
前記少なくとも一つのスイッチが作動していない限りは、前記薬剤供給装置は機能しないことを特徴とする前記請求項１〜７のいずれかに記載の組合せ装置。
【発明の詳細な説明】
【技術分野】
【０００１】
本発明は、薬剤カートリッジに関し、これに限定されるものではないが、特に薬剤供給装置とともに使用するための薬剤カートリッジに関する。本発明は、特定の薬剤供給装置専用にもなる薬剤カートリッジを提供する。薬剤供給装置は、例えば、ペン型注射器又は注入装置という形態をとってもよい。
【背景技術】
【０００２】
一般的に、自分自身又は他者に薬剤処方を行う者は、処方の一環として一つ以上の薬剤を必要とすることがある。例えば、多くの糖尿病患者は遅効型及び即効型のインスリンの両方を服用している。異なった種類の薬剤を混同しないようにすること、及び患者が誤った薬剤を投与されないようにすることが重要である。
【発明の開示】
【発明が解決しようとする課題】
【０００３】
特定種類の薬剤専用とすることができるカートリッジを提供することにより、この問題は解消されるか、又は少なくとも大幅に低減される。例えば、このようなカートリッジを特定の薬剤供給装置にのみ対応させてもよく、又は特定の薬剤供給装置の固有の機能は働かないようにしてもよい。
【課題を解決するための手段】
【０００４】
本発明によれば、薬剤供給装置及び薬剤カートリッジの組合せ装置が提供されており、薬剤供給装置は少なくとも１個のスイッチを含み、薬剤カートリッジは内部に薬剤を収納するカートリッジハウジングと、ハウジングの一端の内部に配置された移動可能なピストンと、薬剤カートリッジの外周の上寄せリング部材とを具備し、前記リング部材は、使用時には、薬剤供給装置の少なくとも１個のスイッチを作動させるのに充分な寸法とする。
【０００５】
好ましくは、カートリッジハウジングの長手方向軸に沿った上寄せリング部材の位置は、薬剤カートリッジ内に含まれる薬剤を表示する。
【０００６】
好ましくは、上寄せリング部材は色分けされており、薬剤カートリッジ内に含まれる薬剤を表示する。
【０００７】
好ましくは、上寄せリング部材は、カートリッジの周囲表面に一致する第一内部表面と第二外部表面によって画定される。さらに好ましくは、第二外部表面は滑らかな丸みを帯びた表面を提供する。上寄せリング部材の外部表面の形状が、薬剤カートリッジ内に含まれる薬剤を表示すると、好都合である。
【０００８】
好ましくは、薬剤供給装置は、さらにディスプレィと、ディスプレィに薬剤供給装置内の薬剤カートリッジに関する情報を表示させるプロセッサを具備する。
【０００９】
好ましくは、少なくとも一つのスイッチが作動していない限り、薬剤供給装置は機能しないようにする。
【発明を実施するための最良の形態】
【００１０】
以下では、実施例のみに基づいて、付属図面を参照しながら本発明を説明する。図１は、本発明の第一態様による薬剤カートリッジを示す図である。図２は、本発明の第一態様による薬剤カートリッジとともに使用する第一薬剤供給装置の一部を示す概略図である。図３は、本発明の第一態様による薬剤カートリッジとともに使用する第ニ薬剤供給装置の一部を示す概略図である。
【００１１】
図１を参照すると、本発明に係る薬剤カートリッジ２が示されている。
【００１２】
薬剤カートリッジは、第一端部に開口首部を有するカートリッジハウジング４を具備する。開口首部には外部フランジが設けられている。可撓性不浸透膜６は、フランジに対して固定されたキャップ８によって、首部にわたって密封するように固定される。金属キャップ８は中央開口部を有し、この中央開口部を介して膜６が露出される。使用時には、針ユニットの針が膜６を貫通する。
【００１３】
薬剤は、カートリッジハウジング４と、カートリッジハウジングの第一端部の可撓性膜６と、カートリッジハウジング４の第二端部に配置された移動可能なピストン１４（仮想線で表示）とによって画定されるチャンバー内に収納される。カートリッジハウジング４の第一端部へ向かうピストン１４の動きにより、薬剤を針ユニットを介して分注させる。
【００１４】
本発明の薬剤カートリッジには、さらに、カートリッジハウジング４の外周に上寄せリング部材１０が設けられている。上寄せリング部材１０は、任意の適切な方法により任意の適切な材料から形成されていればよい。
【００１５】
図示された実施例においては、上寄せリング部材１０は、カートリッジハウジング４の周囲表面に一致する第一内部表面と第二外部表面１２によって画定される。図示された実施例においては、上寄せリング１０は略長方形断面をしている。第二外部表面１２は滑らかな丸みを帯びた表面になっている。上寄せリング１０は、カートリッジハウジング４の周りにプラスチック材料の成形品として形成されてもよい。薬剤カートリッジへの薬剤の充填又は投入の前に成形を実施してもよい。この場合には、充填又は投入操作中に上寄せリング１０の位置を使って、確実に薬剤カートリッジに薬剤を注入する。
【００１６】
上寄せリング１０の位置は製造中に決定され、この製造方法は何度も繰返すことができるので、上寄せリング１０の位置を薬剤カートリッジ内に含まれる薬剤の表示用に使用してもよい。
【００１７】
この場合に、薬剤供給装置（図２）にはプロセッサ２２とスイッチ２０を設けてもよい。スイッチ２０が作動されると、薬剤供給装置が働くようになる。スイッチ２０が作動されない場合には、上寄せリング１０が存在しないため、又は挿入される薬剤カートリッジの長手方向の軸に沿って不適当な位置にあるので、薬剤供給装置は作動しない。
【００１８】
この代わりに、薬剤供給装置はプロセッサ３４と複数のスイッチ３０、３２を具備し、特定のスイッチの作動は、薬剤供給装置内に特定の薬剤を含む薬剤カートリッジが存在することを示すようにしてもよい。薬剤供給装置は、さらにディスプレィ３６と、薬剤供給装置内の薬剤カートリッジに関する情報をディスプレィに表示させるプロセッサ３４を具備してもよく、例えば、薬剤が即効型又は遅効型インスリンであるかを示すものである。このように構成すると、適切な薬剤が分注されようとしているかを使用者が確認できる機会が増えるという利点がある。選択的に、プロセッサ３４は駆動機構３８を作動させて、カートリッジ２から薬剤を放出してもよい。
【００１９】
薬剤供給装置が異なった内容物を有する薬剤カートリッジを区別するには、僅かな配置位置の差があれば充分であることは理解できる。しかし、このような差を見分けるのはカートリッジの全ての使用者、例えば、視覚障害者にとっては容易なことではない。このために、薬剤カートリッジ内の特定薬剤を表示するために、上寄せリング１０を特定の着色材料から製作してもよい。あるいは、さらに、薬剤カートリッジ内の特定薬剤を表示するために、上寄せリング１０を特定の形状に形成してもよい。こうすると、重度の視覚障害者にも特に便利に使用できるようになる。
【図面の簡単な説明】
【００２０】
【図１】本発明の第一態様による薬剤カートリッジを示す図である。
【図２】本発明の第一態様による薬剤カートリッジとともに使用する第一薬剤供給装置の一部を示す概略図である。
【図３】本発明の第一態様による薬剤カートリッジとともに使用する第二薬剤供給装置の一部を示す概略図である。
【図１】
2005511155.tif 000003
【図２】
2005511155.tif 000004
【図３】
2005511155.tif 000005
【手続補正書】
【提出日】平成15年7月4日(2003.7.4)
【手続補正１】
【補正対象書類名】特許請求の範囲
【補正対象項目名】全文
【補正方法】変更
【補正の内容】
【特許請求の範囲】
【請求項１】
薬剤供給装置及び薬剤カートリッジの組合せ装置において、前記薬剤供給装置は少なくとも一つのスイッチを含み、前記薬剤カートリッジは、薬剤を収納するカートリッジハウジングと、前記ハウジングの一端内部に配置された移動可能なピストンと、前記薬剤カートリッジの外周の上寄せリング部材とを具備し、前記リング部材は、使用時に前記薬剤供給装置の少なくとも一つのスイッチを作動させるのに充分な寸法であり、前記上寄せリング部材は前記カートリッジの周囲表面と一致する第一内部表面と第二外部表面によって画定され、前記上寄せリング部材の外部表面の形状が、前記薬剤カートリッジ内に含まれる薬剤を表示することを特徴とする組合せ装置。
【請求項２】
前記カートリッジハウジングの長手方向軸に沿った上寄せリング部材の位置は、前記薬剤カートリッジ内に含まれる薬剤を表示することを特徴とする請求項１に記載の組合せ装置。
【請求項３】
前記上寄せリング部材を色分けして前記薬剤カートリッジ内に含まれる前記薬剤を表示することを特徴とする請求項１又は２に記載の組合せ装置。
【請求項４】
前記第二外部表面は滑らかな丸みを帯びた表面を提供することを特徴とする請求項３に記載の組合せ装置。
【請求項５】
前記薬剤供給装置は、さらにディスプレィと、前記薬剤供給装置内の薬剤カートリッジに関する情報を前記ディスプレィに表示させるプロセッサとを具備することを特徴とする請求項１〜４のいずれかに記載の組合せ装置。
【請求項６】
前記少なくとも一つのスイッチが作動していない限りは、前記薬剤供給装置は機能しないことを特徴とする請求項１〜５のいずれかに記載の組合せ装置。
【国際調査報告】
2005511155.tif 000006
2005511155.tif 000007
2005511155.tif 000008